(57)【要約】【課題】本発明は犬用噛みつき防止マスクを開示した。【解決手段】前後に対称的に設置された本体を含み、前記本体の左側には口輪が上下に対称的に設置され、前記口輪の中には相対かつ右に開いたチャンバが設置され、前記チャンバの左側には左に開いた通気穴が連通して設置され、前記本体の上下両側には挟み板が対称的に設置され、前記本体の中には伸縮装置が設置され、前記伸縮装置の右側にはきつさ調節装置が設置され、前記伸縮装置の外側には制御装置が設置され、前記伸縮装置は前記本体の中に設置された伸縮チャンバを含み、前記伸縮チャンバの中には昇降板が上下に対称的かつスライドできるように設置され、前記昇降板の間には圧縮バネが固定的に連結され、前記昇降板の左右両端は対称的であり、かつ伸縮棒と固定的に連結され、前記伸縮棒の一端が前記挟み板に固定的に連結されいる。【選択図】図１
2020171266.tif 000002
【特許請求の範囲】
【請求項１】
前後に対称的に設置された本体を含み、前記本体の左側には口輪が上下に対称的に設置され、前記口輪の中には相対かつ右に開いたチャンバが設置され、前記チャンバの左側には左に開いた通気穴が連通して設置され、前記本体の上下両側には挟み板が対称的に設置され、前記本体の中には伸縮装置が設置され、前記伸縮装置の右側にはきつさ調節装置が設置され、前記伸縮装置の外側には制御装置が設置され、前記伸縮装置は前記本体の中に設置された伸縮チャンバを含み、前記伸縮チャンバの中には昇降板が上下に対称的かつスライドできるように設置され、前記昇降板の間には圧縮バネが固定的に連結され、前記昇降板の左右両端は対称的であり、かつ伸縮棒と固定的に連結され、前記伸縮棒の一端が前記挟み板に固定的に連結され、前記伸縮棒の左側には左に開いた開口チャンバが設置され、前記開口チャンバの中には連結棒が上下に対称的に設置され、両側の前記連結棒の左端はぞれぞれ上下両側の前記口輪の右端面に回転できるように連結され、前記連結棒は前記伸縮棒を移動連動させることができ、前記きつさ調節装置は前記伸縮チャンバの右側に設置された縄巻チャンバを含み、前記縄巻チャンバの中には縄巻軸が回転できるように設置され、前記縄巻軸にはゴム製ひもが巻きつけられ、前記縄巻チャンバの右側には右に開いたゴム製ひもスライドチャンバが連通して設置され、前記ゴム製ひもが前記ゴム製ひもスライドチャンバを通して外部に伸びており、前記制御装置は前記本体の外側に設置された切換ブロックを含み、
前記切換ブロックを左に移動すれば前記伸縮装置のロックを解除でき、前記切換ブロックを右に移動すれば前記きつさ調節装置のロックを解除できることを特徴とする犬用噛みつき防止マスク。
【請求項２】
前記伸縮装置は前記伸縮チャンバの中に上下に対称的かつ回転できるように設置された梃子を含み、前記梃子の右端が左側の前記伸縮棒に回転できるように連結され、前記伸縮チャンバの左側には前記開口チャンバに連通したスライド棒チャンバが連通して設置され、前記スライド棒チャンバの中にはスライド棒がスライドできるように設置され、前記スライド棒の右端が前記伸縮チャンバの中に伸びて斜めスライドブロックと固定的に連結され、前記梃子の左端が前記斜めスライドブロックの斜面と当接し、前記連結棒の右端が前記スライド棒の左端に回転できるように連結され、前記スライド棒のうち中心から離れた端面の中には第一引掛り溝が設置され、前記スライド棒チャンバのうち中心から離れた側には引掛りブロックチャンバが連通して設置され、前記引掛りブロックチャンバの中には引掛りブロックがスライドできるように設置され、前記引掛りブロックと前記引掛りブロックチャンバとの間には押圧バネが固定的に連結されており、
前記引掛りブロックを前記第一引掛り溝から移し出せば、前記圧縮バネの弾力によって前記伸縮装置を自動的に開くことができ、手動で前記口輪を復帰させれば前記伸縮装置を復帰させることができることを特徴とする請求項１に記載の犬用噛みつき防止マスク。
【請求項３】
前記きつさ調節装置は前記ゴム製ひもの上下両端に対称的かつ固定的に設置された回転盤を含み、前記回転盤と前記縄巻軸の内壁との間にはねじりばねが固定的に連結され、前記回転盤の外円周面には第二引掛り溝が環状に配列設置され、前記縄巻チャンバの左側には引掛り板チャンバが連通して設置され、前記引掛り板チャンバの中には右端が前記第二引掛り溝の中に挿入可能な引掛り板がスライドできるように設置され、前記引掛り板の左端と前記引掛り板チャンバの左壁との間には圧着バネが固定的に連結されており、
前記縄巻軸によって前記ゴム製ひもを巻いてきつさ度合いを調節できることを特徴とする請求項１に記載の犬用噛みつき防止マスク。
【請求項４】
前記制御装置には前記伸縮チャンバのうち中心から離れた側の内壁の中に設置されかつ外に開いた制御チャンバが含まれ、前記制御チャンバの中には制御ブロックがスライドできるように設置され、前記切換ブロックが前記制御ブロックのうち外部に伸びている一端に固定的に連結され、前記制御ブロックの右端と前記制御チャンバの右壁との間には復帰バネが固定的に連結され、前記制御ブロックの右端には引き線が固定的に連結され、前記引き線が前記引掛り板の左端に固定的に連結され、前記制御チャンバの左側にはスライド板チャンバが連通して設置され、前記スライド板チャンバの中には右端が前記制御ブロックに固定的に連結されたスライド板がスライドできるように設置され、前記スライド板チャンバの左側には前記引掛りブロックチャンバに連通した押しブロックチャンバが連通しており、前記スライド板の左端にはＬ型押しブロックが固定的に設置され、前記引掛りブロックの左端面の中には前記Ｌ型押しブロックと同じ水平面に位置した凹み溝が設置されており、
前記Ｌ型押しブロックの右端が前記凹み溝の中に滑り込んで前記引掛りブロックを連動させて前記第一引掛り溝から移り出させることを特徴とする請求項１に記載の犬用噛みつき防止マスク。
【発明の詳細な説明】
【技術分野】
【０００１】
本発明は安全防護技術分野に関し、具体的には犬用噛みつき防止マスクである。
【背景技術】
【０００２】
人を噛むのを防止するため、犬に特殊なマスクを着用させる。しかし、一般的な噛みつき防止マスクは進食の時外す必要があり、安全性が低くて、そのため、犬用噛みつき防止マスクが必要であり、本装置は進食の時でも取り外しなくて済ませ、一部を開いて口部の活動空間を広げ、それに加えてゴム製ひものきつさ度合いを調節でき、着用に便利を与える。
【先行技術文献】
【特許文献】
【０００３】
【特許文献１】中国特許出願公開第104322389号明細書
【発明の概要】
【発明が解決しようとする課題】
【０００４】
本発明の目的は犬用噛みつき防止マスクを提供し、それは上記の現在の技術中の問題を解決できる。
【課題を解決するための手段】
【０００５】
本発明は以下の技術プランを通じて実現する：本発明の犬用噛みつき防止マスクは、前後に対称的に設置された本体を含み、前記本体の左側には口輪が上下に対称的に設置され、前記口輪の中には相対かつ右に開いたチャンバが設置され、前記チャンバの左側には左に開いた通気穴が連通して設置され、前記本体の上下両側には挟み板が対称的に設置され、前記本体の中には伸縮装置が設置され、前記伸縮装置の右側にはきつさ調節装置が設置され、前記伸縮装置の外側には制御装置が設置され、前記伸縮装置は前記本体の中に設置された伸縮チャンバを含み、前記伸縮チャンバの中には昇降板が上下に対称的かつスライドできるように設置され、前記昇降板の間には圧縮バネが固定的に連結され、前記昇降板の左右両端は対称的であり、かつ伸縮棒と固定的に連結され、前記伸縮棒の一端が前記挟み板に固定的に連結され、前記伸縮棒の左側には左に開いた開口チャンバが設置され、前記開口チャンバの中には連結棒が上下に対称的に設置され、両側の前記連結棒の左端はぞれぞれ上下両側の前記口輪の右端面に回転できるように連結され、前記連結棒は前記伸縮棒を移動連動させることができ、前記きつさ調節装置は前記伸縮チャンバの右側に設置された縄巻チャンバを含み、前記縄巻チャンバの中には縄巻軸が回転できるように設置され、前記縄巻軸にはゴム製ひもが巻きつけられ、前記縄巻チャンバの右側には右に開いたゴム製ひもスライドチャンバが連通して設置され、前記ゴム製ひもが前記ゴム製ひもスライドチャンバを通して外部に伸びており、前記制御装置は前記本体の外側に設置された切換ブロックを含み、
前記切換ブロックを左に移動すれば前記伸縮装置のロックを解除でき、前記切換ブロックを右に移動すれば前記きつさ調節装置のロックを解除できる。
【０００６】
優選的には、前記伸縮装置は前記伸縮チャンバの中に上下に対称的かつ回転できるように設置された梃子を含み、前記梃子の右端が左側の前記伸縮棒に回転できるように連結され、前記伸縮チャンバの左側には前記開口チャンバに連通したスライド棒チャンバが連通して設置され、前記スライド棒チャンバの中にはスライド棒がスライドできるように設置され、前記スライド棒の右端が前記伸縮チャンバの中に伸びて斜めスライドブロックと固定的に連結され、前記梃子の左端が前記斜めスライドブロックの斜面と当接し、前記連結棒の右端が前記スライド棒の左端に回転できるように連結され、前記スライド棒のうち中心から離れた端面の中には第一引掛り溝が設置され、前記スライド棒チャンバのうち中心から離れた側には引掛りブロックチャンバが連通して設置され、前記引掛りブロックチャンバの中には引掛りブロックがスライドできるように設置され、前記引掛りブロックと前記引掛りブロックチャンバとの間には押圧バネが固定的に連結されており、
前記引掛りブロックを前記第一引掛り溝から移し出せば、前記圧縮バネの弾力によって前記伸縮装置を自動的に開くことができ、手動で前記口輪を復帰させれば前記伸縮装置を復帰させることができる。
【０００７】
優選的には、前記きつさ調節装置は前記ゴム製ひもの上下両端に対称的かつ固定的に設置された回転盤を含み、前記回転盤と前記縄巻軸の内壁との間にはねじりばねが固定的に連結され、前記回転盤の外円周面には第二引掛り溝が環状に配列設置され、前記縄巻チャンバの左側には引掛り板チャンバが連通して設置され、前記引掛り板チャンバの中には右端が前記第二引掛り溝の中に挿入可能な引掛り板がスライドできるように設置され、前記引掛り板の左端と前記引掛り板チャンバの左壁との間には圧着バネが固定的に連結されており、
前記縄巻軸によって前記ゴム製ひもを巻いてきつさ度合いを調節できる
【０００８】
優選的には、前記制御装置には前記伸縮チャンバのうち中心から離れた側の内壁の中に設置されかつ外に開いた制御チャンバが含まれ、前記制御チャンバの中には制御ブロックがスライドできるように設置され、前記切換ブロックが前記制御ブロックのうち外部に伸びたている一端に固定的に連結され、前記制御ブロックの右端と前記制御チャンバの右壁との間には復帰バネが固定的に連結され、前記制御ブロックの右端には引き線が固定的に連結され、前記引き線が前記引掛り板の左端に固定的に連結され、前記制御チャンバの左側にはスライド板チャンバが連通して設置され、前記スライド板チャンバの中には右端が前記制御ブロックに固定的に連結されたスライド板がスライドできるように設置され、前記スライド板チャンバの左側には前記引掛りブロックチャンバに連通した押しブロックチャンバが連通しており、前記スライド板の左端にはＬ型押しブロックが固定的に設置され、前記引掛りブロックの左端面の中には前記Ｌ型押しブロックと同じ水平面に位置した凹み溝が設置されており、
前記Ｌ型押しブロックの右端が前記凹み溝の中に滑り込んで前記引掛りブロックを連動させて前記第一引掛り溝から滑り移り出させる。
【発明の効果】
【０００９】
本発明の有益効果は：本発明は構造が簡単で、操作が便利で、本装置は犬が餌を食べる時に一部を開かれ、空間に余裕をもたせ、咀嚼に便利を与え、同時にゴム製ひもを調節して着用をもっと便利にさせる。
【図面の簡単な説明】
【００１０】
説明しやすいため、本発明は以下の具体的な実施例と付図を交え詳しく説明する。
【００１１】
【図１】図１は本発明の犬用噛みつき防止マスクの内部全体構成略図
【図２】図２は図１のＡ−Ａ方向の構成略図
【図３】図３は図２のＢの拡大構成略図
【図４】図４は図２のＣの拡大構成略図
【図５】図５は図１のＤ−Ｄ方向の構成略図
【発明を実施するための形態】
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５を参照し、本発明の犬用噛みつき防止マスクは、前後に対称的に設置された本体１１を含み、前記本体１１の左側には口輪１２が上下に対称的に設置され、前記口輪１２の中には相対かつ右に開いたチャンバ１３が設置され、前記チャンバ１３の左側には左に開いた通気穴１４が連通して設置され、前記本体１１の上下両側には挟み板１５が対称的に設置され、前記本体１１の中には伸縮装置１０１が設置され、前記伸縮装置１０１の右側にはきつさ調節装置１０２が設置され、前記伸縮装置１０１の外側には制御装置１０３が設置され、前記伸縮装置１０１は前記本体１１の中に設置された伸縮チャンバ１６を含み、前記伸縮チャンバ１６の中には昇降板１７が上下に対称的かつスライドできるように設置され、前記昇降板１７の間には圧縮バネ１８が固定的に連結され、前記昇降板１７の左右両端は対称的であり、かつ伸縮棒１９と固定的に連結され、前記伸縮棒１９の一端が前記挟み板１５に固定的に連結され、前記伸縮棒１６の左側には左に開いた開口チャンバ２０が設置され、前記開口チャンバ２０の中には連結棒２１が上下に対称的に設置され、両側の前記連結棒２１の左端はぞれぞれ上下両側の前記口輪１２の右端面に回転できるように連結され、前記連結棒２１は前記伸縮棒１９を移動連動させることができ、前記きつさ調節装置１０２は前記伸縮チャンバ１６の右側に設置された縄巻チャンバ２２を含み、前記縄巻チャンバ２２の中には縄巻軸２３が回転できるように設置され、前記縄巻軸２３にはゴム製ひも２４が巻きつけられ、前記縄巻チャンバ２２の右側には右に開いたゴム製ひもスライドチャンバ２５が連通して設置され、前記ゴム製ひも２４が前記ゴム製ひもスライドチャンバ２５を通して外部に伸びており、前記制御装置１０３は前記本体１１の外側に設置された切換ブロック２６を含み、
前記切換ブロック２６を左に移動すれば前記伸縮装置１０１のロックを解除でき、前記切換ブロック２６を右に移動すれば前記きつさ調節装置１０２のロックを解除できる。
【００１４】
有益的には、前記伸縮装置１０２は前記伸縮チャンバ１６の中に上下に対称的かつ回転できるように設置された梃子２７を含み、前記梃子２７の右端が左側の前記伸縮棒１９に回転できるように連結され、前記伸縮チャンバ１６の左側には前記開口チャンバ２０に連通したスライド棒チャンバ２８が連通して設置され、前記スライド棒チャンバ２８の中にはスライド棒２９がスライドできるように設置され、前記スライド棒２９の右端が前記伸縮チャンバ１６の中に伸びて斜めスライドブロック３０と固定的に連結され、前記梃子２７の左端が前記斜めスライドブロック３０の斜面と当接し、前記連結棒２１の右端が前記スライド棒２９の左端に回転できるように連結され、前記スライド棒２９のうち中心から離れた端面の中には第一引掛り溝３１が設置され、前記スライド棒チャンバ２８のうち中心から離れた側には引掛りブロックチャンバ３２が連通して設置され、前記引掛りブロックチャンバ３２の中には引掛りブロック３３がスライドできるように設置され、前記引掛りブロック３３と前記引掛りブロックチャンバ３２との間には押圧バネ３４が固定的に連結されており、
前記引掛りブロック３３を前記第一引掛り溝３１から移し出せば、前記圧縮バネ１８の弾力によって前記伸縮装置１０１を自動的に開くことができ、手動で前記口輪１２を復帰させれば前記伸縮装置１０１を復帰させることができる。
【００１５】
有益的には、前記きつさ調節装置１０２は前記ゴム製ひも２４の上下両端に対称的かつ固定的に設置された回転盤３５を含み、前記回転盤３５と前記縄巻軸２３の内壁との間にはねじりばね３６が固定的に連結され、前記回転盤３５の外円周面には第二引掛り溝３７が環状に配列設置され、前記縄巻チャンバ２２の左側には引掛り板チャンバ３８が連通して設置され、前記引掛り板チャンバ３８の中には右端が前記第二引掛り溝３７の中に挿入可能な引掛り板３９がスライドできるように設置され、前記引掛り板３９の左端と前記引掛り板チャンバ３８の左壁との間には圧着バネ４０が固定的に連結されており、
前記縄巻軸２３によって前記ゴム製ひも２４を巻いてきつさ度合いを調節できる。
【００１６】
有益的には、前記制御装置１０３には前記伸縮チャンバ１６のうち中心から離れた側の内壁の中に設置されかつ外に開いた制御チャンバ４１が含まれ、前記制御チャンバ４１の中には制御ブロック４２がスライドできるように設置され、前記切換ブロック２６が前記制御ブロック４２のうち外部に伸びている一端に固定的に連結され、前記制御ブロック４２の右端と前記制御チャンバ４１の右壁との間には復帰バネ４３が固定的に連結され、前記制御ブロック４２の右端には引き線４４が固定的に連結され、前記引き線４４が前記引掛り板３９の左端に固定的に連結され、前記制御チャンバ４１の左側にはスライド板チャンバ４５が連通して設置され、前記スライド板チャンバ４５の中には右端が前記制御ブロック４２に固定的に連結されたスライド板４６がスライドできるように設置され、前記スライド板チャンバ４５の左側には前記引掛りブロックチャンバ３２に連通した押しブロックチャンバ４７が連通しており、前記スライド板４６の左端にはＬ型押しブロック４８が固定的に設置され、前記引掛りブロック３３の左端面の中には前記Ｌ型押しブロック４８と同じ水平面に位置した凹み溝４９が設置されており、
前記Ｌ型押しブロック４８の右端が前記凹み溝４９の中に滑り込んで前記引掛りブロック３３を連動させて前記第一引掛り溝３１から移り出させる。
【００１７】
初期状態の時、口輪１２が互いに近接しており、伸縮棒１９が最大程度で伸縮チャンバ１６の中に伸びており、引掛りブロック３３が凹み溝４９の中に伸びており、引掛り板３９が第二引掛り溝３７の中に噛み込む。
【００１８】
ゴム製ひもを調節する時、切換ブロック２６を左に移動して制御ブロック４２を左に移動連動させ、ゴム製ひも２４を引き動かして長さを調節し、切換ブロック２６を解放して引掛り板３９を対応した第二引掛り溝３７の中に引掛け、犬が餌を食べるの時、切換ブロック２６を右に移動し、制御ブロック４２を通してスライド板４６とＬ型押しブロック４８とを右に移動連動させ、この時Ｌ型押しブロック４８が右に移動して凹み溝４９の中に入って引掛りブロック３３を連動させて第一引掛り溝３１から移り出させ、この時昇降板１７が弾力の作用によって互いに離れ、伸縮棒１９と挟み板１５とを移動連動させて上下両側へ開かせ、この時伸縮棒１９が梃子２７の右側を翻転連動させ、梃子２７の左端が斜めスライドブロック３０の斜面に沿って斜めスライドブロック３０を押し動かして左に移動させ、スライド棒２９を左に移動連動させて連結棒２１によって口輪１２を連動させて上下両側に開かせ、この時犬は餌を食べることができ、同時に空間に余裕をもたせて咀嚼に便利を与え、食べ終わった後手動で口輪１２を閉じて復帰させる。
【００１９】
本発明の有益効果は：本発明は構造が簡単で、操作が便利で、本装置は犬が餌を食べる時に一部を開かれ、空間に余裕をもたせ、咀嚼に便利を与え、同時にゴム製ひもを調節して着用をもっと便利にさせる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171266.tif 000003
【図２】
2020171266.tif 000004
【図３】
2020171266.tif 000005
【図４】
2020171266.tif 000006
【図５】
2020171266.tif 000007
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
前後に対称的に設置された本体を含み、前記本体の左側には口輪が上下に対称的に設置され、前記口輪の中には相対かつ右に開いた第一チャンバが設置され、前記第一チャンバの左側には左に開いた通気穴が連通して設置され、前記本体の上下両側には挟み板が対称的に設置され、前記本体の中には伸縮装置が設置され、前記伸縮装置の右側にはきつさ調節装置が設置され、前記伸縮装置の外側には制御装置が設置され、前記伸縮装置は前記本体の中に設置された第二チャンバを含み、前記第二チャンバの中には昇降板が上下に対称的かつスライドできるように設置され、前記昇降板の間には圧縮バネが固定的に連結され、前記昇降板の左右両端は対称的であり、かつ伸縮棒と固定的に連結され、前記伸縮棒の一端が前記挟み板に固定的に連結され、前記伸縮棒の左側には左に開いた第三チャンバが設置され、前記第三チャンバの中には連結棒が上下に対称的に設置され、両側の前記連結棒の左端はぞれぞれ上下両側の前記口輪の右端面に回転できるように連結され、前記連結棒は前記伸縮棒を移動連動させることができ、前記きつさ調節装置は前記第二チャンバの右側に設置された第四チャンバを含み、前記第四チャンバの中には縄巻軸が回転できるように設置され、前記縄巻軸にはゴム製ひもが巻きつけられ、前記第四チャンバの右側には右に開いた第五チャンバが連通して設置され、前記ゴム製ひもが前記第五チャンバを通して外部に伸びており、前記制御装置は前記本体の外側に設置された切換ブロックを含み、
前記切換ブロックを左に移動すれば前記伸縮装置のロックを解除でき、前記切換ブロックを右に移動すれば前記きつさ調節装置のロックを解除できることを特徴とする犬用噛みつき防止マスク。
【請求項２】
前記伸縮装置は前記第二チャンバの中に上下に対称的かつ回転できるように設置された梃子を含み、前記梃子の右端が左側の前記伸縮棒に回転できるように連結され、前記第二チャンバの左側には前記第三チャンバに連通した第六チャンバが連通して設置され、前記第六チャンバの中にはスライド棒がスライドできるように設置され、前記スライド棒の右端が前記第二チャンバの中に伸びて斜めスライドブロックと固定的に連結され、前記梃子の左端が前記斜めスライドブロックの斜面と当接し、前記連結棒の右端が前記スライド棒の左端に回転できるように連結され、前記スライド棒のうち中心から離れた端面の中には第一引掛り溝が設置され、前記第六チャンバのうち中心から離れた側には第七チャンバが連通して設置され、前記第七チャンバの中には引掛りブロックがスライドできるように設置され、前記引掛りブロックと前記第七チャンバとの間には押圧バネが固定的に連結されており、
前記引掛りブロックを前記第一引掛り溝から移し出せば、前記圧縮バネの弾力によって前記伸縮装置を自動的に開くことができ、手動で前記口輪を復帰させれば前記伸縮装置を復帰させることができることを特徴とする請求項１に記載の犬用噛みつき防止マスク。
【請求項３】
前記きつさ調節装置は前記ゴム製ひもの上下両端に対称的かつ固定的に設置された回転盤を含み、前記回転盤と前記縄巻軸の内壁との間にはねじりばねが固定的に連結され、前記回転盤の外円周面には第二引掛り溝が環状に配列設置され、前記第四チャンバの左側には第八チャンバが連通して設置され、前記第八チャンバの中には右端が前記第二引掛り溝の中に挿入可能な引掛り板がスライドできるように設置され、前記引掛り板の左端と前記第八チャンバの左壁との間には圧着バネが固定的に連結されており、前記縄巻軸によって前記ゴム製ひもを巻いてきつさ度合いを調節できることを特徴とする請求項２に記載の犬用噛みつき防止マスク。
【請求項４】
前記制御装置には前記第二チャンバのうち中心から離れた側の内壁の中に設置されかつ外に開いた第九チャンバが含まれ、前記第九チャンバの中には制御ブロックがスライドできるように設置され、前記切換ブロックが前記制御ブロックのうち外部に伸びている一端に固定的に連結され、前記制御ブロックの右端と前記第九チャンバの右壁との間には復帰バネが固定的に連結され、前記制御ブロックの右端には引き線が固定的に連結され、前記引き線が前記引掛り板の左端に固定的に連結され、前記第九チャンバの左側には第十チャンバが連通して設置され、前記第十チャンバの中には右端が前記制御ブロックに固定的に連結されたスライド板がスライドできるように設置され、前記第十チャンバの左側には前記第七チャンバに連通した第十一チャンバが連通しており、前記スライド板の左端にはＬ型押しブロックが固定的に設置され、前記引掛りブロックの左端面の中には前記Ｌ型押しブロックと同じ水平面に位置した凹み溝が設置されており、
前記Ｌ型押しブロックの右端が前記凹み溝の中に滑り込んで前記引掛りブロックを連動させて前記第一引掛り溝から移り出させることを特徴とする請求項３に記載の犬用噛みつき防止マスク。
【手続補正２】
【補正対象書類名】明細書
【補正対象項目名】全文
【補正方法】変更
【補正の内容】
【発明の詳細な説明】
【技術分野】
【０００１】
本発明は安全防護技術分野に関し、具体的には犬用噛みつき防止マスクである。
【背景技術】
【０００２】
人を噛むのを防止するため、犬に特殊なマスクを着用させる。しかし、一般的な噛みつき防止マスクは進食の時外す必要があり、安全性が低くて、そのため、犬用噛みつき防止マスクが必要であり、本装置は進食の時でも取り外しなくて済ませ、一部を開いて口部の活動空間を広げ、それに加えてゴム製ひものきつさ度合いを調節でき、着用に便利を与える。
【先行技術文献】
【特許文献】
【０００３】
【特許文献１】中国特許出願公開第104322389号明細書
【発明の概要】
【発明が解決しようとする課題】
【０００４】
本発明の目的は犬用噛みつき防止マスクを提供し、それは上記の現在の技術中の問題を解決できる。
【課題を解決するための手段】
【０００５】
本発明は以下の技術プランを通じて実現する：本発明の犬用噛みつき防止マスクは、前後に対称的に設置された本体を含み、前記本体の左側には口輪が上下に対称的に設置され、前記口輪の中には相対かつ右に開いた第一チャンバが設置され、前記第一チャンバの左側には左に開いた通気穴が連通して設置され、前記本体の上下両側には挟み板が対称的に設置され、前記本体の中には伸縮装置が設置され、前記伸縮装置の右側にはきつさ調節装置が設置され、前記伸縮装置の外側には制御装置が設置され、前記伸縮装置は前記本体の中に設置された第二チャンバを含み、前記第二チャンバの中には昇降板が上下に対称的かつスライドできるように設置され、前記昇降板の間には圧縮バネが固定的に連結され、前記昇降板の左右両端は対称的であり、かつ伸縮棒と固定的に連結され、前記伸縮棒の一端が前記挟み板に固定的に連結され、前記伸縮棒の左側には左に開いた第三チャンバが設置され、前記第三チャンバの中には連結棒が上下に対称的に設置され、両側の前記連結棒の左端はぞれぞれ上下両側の前記口輪の右端面に回転できるように連結され、前記連結棒は前記伸縮棒を移動連動させることができ、前記きつさ調節装置は前記第二チャンバの右側に設置された第四チャンバを含み、前記第四チャンバの中には縄巻軸が回転できるように設置され、前記縄巻軸にはゴム製ひもが巻きつけられ、前記第四チャンバの右側には右に開いた第五チャンバが連通して設置され、前記ゴム製ひもが前記第五チャンバを通して外部に伸びており、前記制御装置は前記本体の外側に設置された切換ブロックを含み、
前記切換ブロックを左に移動すれば前記伸縮装置のロックを解除でき、前記切換ブロックを右に移動すれば前記きつさ調節装置のロックを解除できる。
【０００６】
優選的には、前記伸縮装置は前記第二チャンバの中に上下に対称的かつ回転できるように設置された梃子を含み、前記梃子の右端が左側の前記伸縮棒に回転できるように連結され、前記第二チャンバの左側には前記第三チャンバに連通した第六チャンバが連通して設置され、前記第六チャンバの中にはスライド棒がスライドできるように設置され、前記スライド棒の右端が前記第二チャンバの中に伸びて斜めスライドブロックと固定的に連結され、前記梃子の左端が前記斜めスライドブロックの斜面と当接し、前記連結棒の右端が前記スライド棒の左端に回転できるように連結され、前記スライド棒のうち中心から離れた端面の中には第一引掛り溝が設置され、前記第六チャンバのうち中心から離れた側には第七チャンバが連通して設置され、前記第七チャンバの中には引掛りブロックがスライドできるように設置され、前記引掛りブロックと前記第七チャンバとの間には押圧バネが固定的に連結されており、
前記引掛りブロックを前記第一引掛り溝から移し出せば、前記圧縮バネの弾力によって前記伸縮装置を自動的に開くことができ、手動で前記口輪を復帰させれば前記伸縮装置を復帰させることができる。
【０００７】
優選的には、前記きつさ調節装置は前記ゴム製ひもの上下両端に対称的かつ固定的に設置された回転盤を含み、前記回転盤と前記縄巻軸の内壁との間にはねじりばねが固定的に連結され、前記回転盤の外円周面には第二引掛り溝が環状に配列設置され、前記第四チャンバの左側には第八チャンバが連通して設置され、前記第八チャンバの中には右端が前記第二引掛り溝の中に挿入可能な引掛り板がスライドできるように設置され、前記引掛り板の左端と前記第八チャンバの左壁との間には圧着バネが固定的に連結されており、
前記縄巻軸によって前記ゴム製ひもを巻いてきつさ度合いを調節できる
【０００８】
優選的には、前記制御装置には前記第二チャンバのうち中心から離れた側の内壁の中に設置されかつ外に開いた第九チャンバが含まれ、前記第九チャンバの中には制御ブロックがスライドできるように設置され、前記切換ブロックが前記制御ブロックのうち外部に伸びたている一端に固定的に連結され、前記制御ブロックの右端と前記第九チャンバの右壁との間には復帰バネが固定的に連結され、前記制御ブロックの右端には引き線が固定的に連結され、前記引き線が前記引掛り板の左端に固定的に連結され、前記第九チャンバの左側には第十チャンバが連通して設置され、前記第十チャンバの中には右端が前記制御ブロックに固定的に連結されたスライド板がスライドできるように設置され、前記第十チャンバの左側には前記第七チャンバに連通した第十一チャンバが連通しており、前記スライド板の左端にはＬ型押しブロックが固定的に設置され、前記引掛りブロックの左端面の中には前記Ｌ型押しブロックと同じ水平面に位置した凹み溝が設置されており、
前記Ｌ型押しブロックの右端が前記凹み溝の中に滑り込んで前記引掛りブロックを連動させて前記第一引掛り溝から滑り移り出させる。
【発明の効果】
【０００９】
本発明の有益効果は：本発明は構造が簡単で、操作が便利で、本装置は犬が餌を食べる時に一部を開かれ、空間に余裕をもたせ、咀嚼に便利を与え、同時にゴム製ひもを調節して着用をもっと便利にさせる。
【図面の簡単な説明】
【００１０】
説明しやすいため、本発明は以下の具体的な実施例と付図を交え詳しく説明する。
【００１１】
【図１】図１は本発明の犬用噛みつき防止マスクの内部全体構成略図
【図２】図２は図１のＡ−Ａ方向の構成略図
【図３】図３は図２のＢの拡大構成略図
【図４】図４は図２のＣの拡大構成略図
【図５】図５は図１のＤ−Ｄ方向の構成略図
【発明を実施するための形態】
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５を参照し、本発明の犬用噛みつき防止マスクは、前後に対称的に設置された本体１１を含み、前記本体１１の左側には口輪１２が上下に対称的に設置され、前記口輪１２の中には相対かつ右に開いた第一チャンバ１３が設置され、前記第一チャンバ１３の左側には左に開いた通気穴１４が連通して設置され、前記本体１１の上下両側には挟み板１５が対称的に設置され、前記本体１１の中には伸縮装置１０１が設置され、前記伸縮装置１０１の右側にはきつさ調節装置１０２が設置され、前記伸縮装置１０１の外側には制御装置１０３が設置され、前記伸縮装置１０１は前記本体１１の中に設置された第二チャンバ１６を含み、前記第二チャンバ１６の中には昇降板１７が上下に対称的かつスライドできるように設置され、前記昇降板１７の間には圧縮バネ１８が固定的に連結され、前記昇降板１７の左右両端は対称的であり、かつ伸縮棒１９と固定的に連結され、前記伸縮棒１９の一端が前記挟み板１５に固定的に連結され、前記伸縮棒１６の左側には左に開いた第三チャンバ２０が設置され、前記第三チャンバ２０の中には連結棒２１が上下に対称的に設置され、両側の前記連結棒２１の左端はぞれぞれ上下両側の前記口輪１２の右端面に回転できるように連結され、前記連結棒２１は前記伸縮棒１９を移動連動させることができ、前記きつさ調節装置１０２は前記第二チャンバ１６の右側に設置された第四チャンバ２２を含み、前記第四チャンバ２２の中には縄巻軸２３が回転できるように設置され、前記縄巻軸２３にはゴム製ひも２４が巻きつけられ、前記第四チャンバ２２の右側には右に開いた第五チャンバ２５が連通して設置され、前記ゴム製ひも２４が前記第五チャンバ２５を通して外部に伸びており、前記制御装置１０３は前記本体１１の外側に設置された切換ブロック２６を含み、
前記切換ブロック２６を左に移動すれば前記伸縮装置１０１のロックを解除でき、前記切換ブロック２６を右に移動すれば前記きつさ調節装置１０２のロックを解除できる。
【００１４】
有益的には、前記伸縮装置１０２は前記第二チャンバ１６の中に上下に対称的かつ回転できるように設置された梃子２７を含み、前記梃子２７の右端が左側の前記伸縮棒１９に回転できるように連結され、前記第二チャンバ１６の左側には前記第三チャンバ２０に連通した第六チャンバ２８が連通して設置され、前記第六チャンバ２８の中にはスライド棒２９がスライドできるように設置され、前記スライド棒２９の右端が前記第二チャンバ１６の中に伸びて斜めスライドブロック３０と固定的に連結され、前記梃子２７の左端が前記斜めスライドブロック３０の斜面と当接し、前記連結棒２１の右端が前記スライド棒２９の左端に回転できるように連結され、前記スライド棒２９のうち中心から離れた端面の中には第一引掛り溝３１が設置され、前記第六チャンバ２８のうち中心から離れた側には第七チャンバ３２が連通して設置され、前記第七チャンバ３２の中には引掛りブロック３３がスライドできるように設置され、前記引掛りブロック３３と前記第七チャンバ３２との間には押圧バネ３４が固定的に連結されており、
前記引掛りブロック３３を前記第一引掛り溝３１から移し出せば、前記圧縮バネ１８の弾力によって前記伸縮装置１０１を自動的に開くことができ、手動で前記口輪１２を復帰させれば前記伸縮装置１０１を復帰させることができる。
【００１５】
有益的には、前記きつさ調節装置１０２は前記ゴム製ひも２４の上下両端に対称的かつ固定的に設置された回転盤３５を含み、前記回転盤３５と前記縄巻軸２３の内壁との間にはねじりばね３６が固定的に連結され、前記回転盤３５の外円周面には第二引掛り溝３７が環状に配列設置され、前記第四チャンバ２２の左側には第八チャンバ３８が連通して設置され、前記第八チャンバ３８の中には右端が前記第二引掛り溝３７の中に挿入可能な引掛り板３９がスライドできるように設置され、前記引掛り板３９の左端と前記第八チャンバ３８の左壁との間には圧着バネ４０が固定的に連結されており、
前記縄巻軸２３によって前記ゴム製ひも２４を巻いてきつさ度合いを調節できる。
【００１６】
有益的には、前記制御装置１０３には前記第二チャンバ１６のうち中心から離れた側の内壁の中に設置されかつ外に開いた第九チャンバ４１が含まれ、前記第九チャンバ４１の中には制御ブロック４２がスライドできるように設置され、前記切換ブロック２６が前記制御ブロック４２のうち外部に伸びている一端に固定的に連結され、前記制御ブロック４２の右端と前記第九チャンバ４１の右壁との間には復帰バネ４３が固定的に連結され、前記制御ブロック４２の右端には引き線４４が固定的に連結され、前記引き線４４が前記引掛り板３９の左端に固定的に連結され、前記第九チャンバ４１の左側には第十チャンバ４５が連通して設置され、前記第十チャンバ４５の中には右端が前記制御ブロック４２に固定的に連結されたスライド板４６がスライドできるように設置され、前記第十チャンバ４５の左側には前記第七チャンバ３２に連通した第十一チャンバ４７が連通しており、前記スライド板４６の左端にはＬ型押しブロック４８が固定的に設置され、前記引掛りブロック３３の左端面の中には前記Ｌ型押しブロック４８と同じ水平面に位置した凹み溝４９が設置されており、
前記Ｌ型押しブロック４８の右端が前記凹み溝４９の中に滑り込んで前記引掛りブロック３３を連動させて前記第一引掛り溝３１から移り出させる。
【００１７】
初期状態の時、口輪１２が互いに近接しており、伸縮棒１９が最大程度で第二チャンバ１６の中に伸びており、引掛りブロック３３が凹み溝４９の中に伸びており、引掛り板３９が第二引掛り溝３７の中に噛み込む。
【００１８】
ゴム製ひもを調節する時、切換ブロック２６を左に移動して制御ブロック４２を左に移動連動させ、ゴム製ひも２４を引き動かして長さを調節し、切換ブロック２６を解放して引掛り板３９を対応した第二引掛り溝３７の中に引掛け、犬が餌を食べるの時、切換ブロック２６を右に移動し、制御ブロック４２を通してスライド板４６とＬ型押しブロック４８とを右に移動連動させ、この時Ｌ型押しブロック４８が右に移動して凹み溝４９の中に入って引掛りブロック３３を連動させて第一引掛り溝３１から移り出させ、この時昇降板１７が弾力の作用によって互いに離れ、伸縮棒１９と挟み板１５とを移動連動させて上下両側へ開かせ、この時伸縮棒１９が梃子２７の右側を翻転連動させ、梃子２７の左端が斜めスライドブロック３０の斜面に沿って斜めスライドブロック３０を押し動かして左に移動させ、スライド棒２９を左に移動連動させて連結棒２１によって口輪１２を連動させて上下両側に開かせ、この時犬は餌を食べることができ、同時に空間に余裕をもたせて咀嚼に便利を与え、食べ終わった後手動で口輪１２を閉じて復帰させる。
【００１９】
本発明の有益効果は：本発明は構造が簡単で、操作が便利で、本装置は犬が餌を食べる時に一部を開かれ、空間に余裕をもたせ、咀嚼に便利を与え、同時にゴム製ひもを調節して着用をもっと便利にさせる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
前後に対称的に設置された本体を含み、前記本体の左側には口輪が上下に対称的に設置され、前記口輪の中には相対かつ右に開いた空間が設置され、前記空間の左側には左に開いた通気穴が連通して設置され、前記本体の上下両側には挟み板が対称的に設置され、前記本体の中には伸縮装置が設置され、前記伸縮装置の右側にはきつさ調節装置が設置され、前記伸縮装置の外側には制御装置が設置され、前記伸縮装置は前記本体の中に設置された伸縮空間を含み、前記伸縮空間の中には昇降板が上下に対称的かつスライドできるように設置され、前記昇降板の間には圧縮バネが固定的に連結され、前記昇降板の左右両端は対称的であり、かつ伸縮棒と固定的に連結され、前記伸縮棒の一端が前記挟み板に固定的に連結され、前記伸縮棒の左側には左に開いた開口空間が設置され、前記開口空間の中には連結棒が上下に対称的に設置され、両側の前記連結棒の左端はぞれぞれ上下両側の前記口輪の右端面に回転できるように連結され、前記連結棒は前記伸縮棒を移動連動させることができ、前記きつさ調節装置は前記伸縮空間の右側に設置された縄巻空間を含み、前記縄巻空間の中には縄巻軸が回転できるように設置され、前記縄巻軸にはゴム製ひもが巻きつけられ、前記縄巻空間の右側には右に開いたゴム製ひもスライド空間が連通して設置され、前記ゴム製ひもが前記ゴム製ひもスライド空間を通して外部に伸びており、前記制御装置は前記本体の外側に設置された切換ブロックを含み、
前記切換ブロックを左に移動すれば前記伸縮装置のロックを解除でき、前記切換ブロックを右に移動すれば前記きつさ調節装置のロックを解除できることを特徴とする犬用噛みつき防止マスク。
【請求項２】
前記伸縮装置は前記伸縮空間の中に上下に対称的かつ回転できるように設置された梃子を含み、前記梃子の右端が左側の前記伸縮棒に回転できるように連結され、前記伸縮空間の左側には前記開口空間に連通したスライド棒空間が連通して設置され、前記スライド棒空間の中にはスライド棒がスライドできるように設置され、前記スライド棒の右端が前記伸縮空間の中に伸びて斜めスライドブロックと固定的に連結され、前記梃子の左端が前記斜めスライドブロックの斜面と当接し、前記連結棒の右端が前記スライド棒の左端に回転できるように連結され、前記スライド棒のうち中心から離れた端面の中には第一引掛り溝が設置され、前記スライド棒空間のうち中心から離れた側には引掛りブロック空間が連通して設置され、前記引掛りブロック空間の中には引掛りブロックがスライドできるように設置され、前記引掛りブロックと前記引掛りブロック空間との間には押圧バネが固定的に連結されており、
前記引掛りブロックを前記第一引掛り溝から移し出せば、前記圧縮バネの弾力によって前記伸縮装置を自動的に開くことができ、手動で前記口輪を復帰させれば前記伸縮装置を復帰させることができることを特徴とする請求項１に記載の犬用噛みつき防止マスク。
【請求項３】
前記きつさ調節装置は前記ゴム製ひもの上下両端に対称的かつ固定的に設置された回転盤を含み、前記回転盤と前記縄巻軸の内壁との間にはねじりばねが固定的に連結され、前記回転盤の外円周面には第二引掛り溝が環状に配列設置され、前記縄巻空間の左側には引掛り板空間が連通して設置され、前記引掛り板空間の中には右端が前記第二引掛り溝の中に挿入可能な引掛り板がスライドできるように設置され、前記引掛り板の左端と前記引掛り板空間の左壁との間には圧着バネが固定的に連結されており、前記縄巻軸によって前記ゴム製ひもを巻いてきつさ度合いを調節できることを特徴とする請求項２に記載の犬用噛みつき防止マスク。
【請求項４】
前記制御装置には前記伸縮空間のうち中心から離れた側の内壁の中に設置されかつ外に開いた制御空間が含まれ、前記制御空間の中には制御ブロックがスライドできるように設置され、前記切換ブロックが前記制御ブロックのうち外部に伸びている一端に固定的に連結され、前記制御ブロックの右端と前記制御空間の右壁との間には復帰バネが固定的に連結され、前記制御ブロックの右端には引き線が固定的に連結され、前記引き線が前記引掛り板の左端に固定的に連結され、前記制御空間の左側にはスライド板空間が連通して設置され、前記スライド板空間の中には右端が前記制御ブロックに固定的に連結されたスライド板がスライドできるように設置され、前記スライド板空間の左側には前記引掛りブロック空間に連通した押しブロック空間が連通しており、前記スライド板の左端にはＬ型押しブロックが固定的に設置され、前記引掛りブロックの左端面の中には前記Ｌ型押しブロックと同じ水平面に位置した凹み溝が設置されており、
前記Ｌ型押しブロックの右端が前記凹み溝の中に滑り込んで前記引掛りブロックを連動させて前記第一引掛り溝から移り出させることを特徴とする請求項３に記載の犬用噛みつき防止マスク。
【手続補正２】
【補正対象書類名】明細書
【補正対象項目名】全文
【補正方法】変更
【補正の内容】
【発明の詳細な説明】
【技術分野】
【０００１】
本発明は安全防護技術分野に関し、具体的には犬用噛みつき防止マスクである。
【背景技術】
【０００２】
人を噛むのを防止するため、犬に特殊なマスクを着用させる。しかし、一般的な噛みつき防止マスクは進食の時外す必要があり、安全性が低くて、そのため、犬用噛みつき防止マスクが必要であり、本装置は進食の時でも取り外しなくて済ませ、一部を開いて口部の活動空間を広げ、それに加えてゴム製ひものきつさ度合いを調節でき、着用に便利を与える。
【先行技術文献】
【特許文献】
【０００３】
【特許文献１】中国特許出願公開第１０４３２２３８９号明細書
【発明の概要】
【発明が解決しようとする課題】
【０００４】
本発明の目的は犬用噛みつき防止マスクを提供し、それは上記の現在の技術中の問題を解決できる。
【課題を解決するための手段】
【０００５】
本発明は以下の技術プランを通じて実現する：本発明の犬用噛みつき防止マスクは、前後に対称的に設置された本体を含み、前記本体の左側には口輪が上下に対称的に設置され、前記口輪の中には相対かつ右に開いた空間が設置され、前記空間の左側には左に開いた通気穴が連通して設置され、前記本体の上下両側には挟み板が対称的に設置され、前記本体の中には伸縮装置が設置され、前記伸縮装置の右側にはきつさ調節装置が設置され、前記伸縮装置の外側には制御装置が設置され、前記伸縮装置は前記本体の中に設置された伸縮空間を含み、前記伸縮空間の中には昇降板が上下に対称的かつスライドできるように設置され、前記昇降板の間には圧縮バネが固定的に連結され、前記昇降板の左右両端は対称的であり、かつ伸縮棒と固定的に連結され、前記伸縮棒の一端が前記挟み板に固定的に連結され、前記伸縮棒の左側には左に開いた開口空間が設置され、前記開口空間の中には連結棒が上下に対称的に設置され、両側の前記連結棒の左端はぞれぞれ上下両側の前記口輪の右端面に回転できるように連結され、前記連結棒は前記伸縮棒を移動連動させることができ、前記きつさ調節装置は前記伸縮空間の右側に設置された縄巻空間を含み、前記縄巻空間の中には縄巻軸が回転できるように設置され、前記縄巻軸にはゴム製ひもが巻きつけられ、前記縄巻空間の右側には右に開いたゴム製ひもスライド空間が連通して設置され、前記ゴム製ひもが前記ゴム製ひもスライド空間を通して外部に伸びており、前記制御装置は前記本体の外側に設置された切換ブロックを含み、
前記切換ブロックを左に移動すれば前記伸縮装置のロックを解除でき、前記切換ブロックを右に移動すれば前記きつさ調節装置のロックを解除できる。
【０００６】
優選的には、前記伸縮装置は前記伸縮空間の中に上下に対称的かつ回転できるように設置された梃子を含み、前記梃子の右端が左側の前記伸縮棒に回転できるように連結され、前記伸縮空間の左側には前記開口空間に連通したスライド棒空間が連通して設置され、前記スライド棒空間の中にはスライド棒がスライドできるように設置され、前記スライド棒の右端が前記伸縮空間の中に伸びて斜めスライドブロックと固定的に連結され、前記梃子の左端が前記斜めスライドブロックの斜面と当接し、前記連結棒の右端が前記スライド棒の左端に回転できるように連結され、前記スライド棒のうち中心から離れた端面の中には第一引掛り溝が設置され、前記スライド棒空間のうち中心から離れた側には引掛りブロック空間が連通して設置され、前記引掛りブロック空間の中には引掛りブロックがスライドできるように設置され、前記引掛りブロックと前記引掛りブロック空間との間には押圧バネが固定的に連結されており、
前記引掛りブロックを前記第一引掛り溝から移し出せば、前記圧縮バネの弾力によって前記伸縮装置を自動的に開くことができ、手動で前記口輪を復帰させれば前記伸縮装置を復帰させることができる。
【０００７】
優選的には、前記きつさ調節装置は前記ゴム製ひもの上下両端に対称的かつ固定的に設置された回転盤を含み、前記回転盤と前記縄巻軸の内壁との間にはねじりばねが固定的に連結され、前記回転盤の外円周面には第二引掛り溝が環状に配列設置され、前記縄巻空間の左側には引掛り板空間が連通して設置され、前記引掛り板空間の中には右端が前記第二引掛り溝の中に挿入可能な引掛り板がスライドできるように設置され、前記引掛り板の左端と前記引掛り板空間の左壁との間には圧着バネが固定的に連結されており、
前記縄巻軸によって前記ゴム製ひもを巻いてきつさ度合いを調節できる
【０００８】
優選的には、前記制御装置には前記伸縮空間のうち中心から離れた側の内壁の中に設置されかつ外に開いた制御空間が含まれ、前記制御空間の中には制御ブロックがスライドできるように設置され、前記切換ブロックが前記制御ブロックのうち外部に伸びたている一端に固定的に連結され、前記制御ブロックの右端と前記制御空間の右壁との間には復帰バネが固定的に連結され、前記制御ブロックの右端には引き線が固定的に連結され、前記引き線が前記引掛り板の左端に固定的に連結され、前記制御空間の左側にはスライド板空間が連通して設置され、前記スライド板空間の中には右端が前記制御ブロックに固定的に連結されたスライド板がスライドできるように設置され、前記スライド板空間の左側には前記引掛りブロック空間に連通した押しブロック空間が連通しており、前記スライド板の左端にはＬ型押しブロックが固定的に設置され、前記引掛りブロックの左端面の中には前記Ｌ型押しブロックと同じ水平面に位置した凹み溝が設置されており、
前記Ｌ型押しブロックの右端が前記凹み溝の中に滑り込んで前記引掛りブロックを連動させて前記第一引掛り溝から滑り移り出させる。
【発明の効果】
【０００９】
本発明の有益効果は：本発明は構造が簡単で、操作が便利で、本装置は犬が餌を食べる時に一部を開かれ、空間に余裕をもたせ、咀嚼に便利を与え、同時にゴム製ひもを調節して着用をもっと便利にさせる。
【図面の簡単な説明】
【００１０】
説明しやすいため、本発明は以下の具体的な実施例と付図を交え詳しく説明する。
【００１１】
【図１】図１は本発明の犬用噛みつき防止マスクの内部全体構成略図
【図２】図２は図１のＡ−Ａ方向の構成略図
【図３】図３は図２のＢの拡大構成略図
【図４】図４は図２のＣの拡大構成略図
【図５】図５は図１のＤ−Ｄ方向の構成略図
【発明を実施するための形態】
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５を参照し、本発明の犬用噛みつき防止マスクは、前後に対称的に設置された本体１１を含み、前記本体１１の左側には口輪１２が上下に対称的に設置され、前記口輪１２の中には相対かつ右に開いた空間１３が設置され、前記空間１３の左側には左に開いた通気穴１４が連通して設置され、前記本体１１の上下両側には挟み板１５が対称的に設置され、前記本体１１の中には伸縮装置１０１が設置され、前記伸縮装置１０１の右側にはきつさ調節装置１０２が設置され、前記伸縮装置１０１の外側には制御装置１０３が設置され、前記伸縮装置１０１は前記本体１１の中に設置された伸縮空間１６を含み、前記伸縮空間１６の中には昇降板１７が上下に対称的かつスライドできるように設置され、前記昇降板１７の間には圧縮バネ１８が固定的に連結され、前記昇降板１７の左右両端は対称的であり、かつ伸縮棒１９と固定的に連結され、前記伸縮棒１９の一端が前記挟み板１５に固定的に連結され、前記伸縮棒１６の左側には左に開いた開口空間２０が設置され、前記開口空間２０の中には連結棒２１が上下に対称的に設置され、両側の前記連結棒２１の左端はぞれぞれ上下両側の前記口輪１２の右端面に回転できるように連結され、前記連結棒２１は前記伸縮棒１９を移動連動させることができ、前記きつさ調節装置１０２は前記伸縮空間１６の右側に設置された縄巻空間２２を含み、前記縄巻空間２２の中には縄巻軸２３が回転できるように設置され、前記縄巻軸２３にはゴム製ひも２４が巻きつけられ、前記縄巻空間２２の右側には右に開いたゴム製ひもスライド空間２５が連通して設置され、前記ゴム製ひも２４が前記ゴム製ひもスライド空間２５を通して外部に伸びており、前記制御装置１０３は前記本体１１の外側に設置された切換ブロック２６を含み、
前記切換ブロック２６を左に移動すれば前記伸縮装置１０１のロックを解除でき、前記切換ブロック２６を右に移動すれば前記きつさ調節装置１０２のロックを解除できる。
【００１４】
有益的には、前記伸縮装置１０２は前記伸縮空間１６の中に上下に対称的かつ回転できるように設置された梃子２７を含み、前記梃子２７の右端が左側の前記伸縮棒１９に回転できるように連結され、前記伸縮空間１６の左側には前記開口空間２０に連通したスライド棒空間２８が連通して設置され、前記スライド棒空間２８の中にはスライド棒２９がスライドできるように設置され、前記スライド棒２９の右端が前記伸縮空間１６の中に伸びて斜めスライドブロック３０と固定的に連結され、前記梃子２７の左端が前記斜めスライドブロック３０の斜面と当接し、前記連結棒２１の右端が前記スライド棒２９の左端に回転できるように連結され、前記スライド棒２９のうち中心から離れた端面の中には第一引掛り溝３１が設置され、前記スライド棒空間２８のうち中心から離れた側には引掛りブロック空間３２が連通して設置され、前記引掛りブロック空間３２の中には引掛りブロック３３がスライドできるように設置され、前記引掛りブロック３３と前記引掛りブロック空間３２との間には押圧バネ３４が固定的に連結されており、
前記引掛りブロック３３を前記第一引掛り溝３１から移し出せば、前記圧縮バネ１８の弾力によって前記伸縮装置１０１を自動的に開くことができ、手動で前記口輪１２を復帰させれば前記伸縮装置１０１を復帰させることができる。
【００１５】
有益的には、前記きつさ調節装置１０２は前記ゴム製ひも２４の上下両端に対称的かつ固定的に設置された回転盤３５を含み、前記回転盤３５と前記縄巻軸２３の内壁との間にはねじりばね３６が固定的に連結され、前記回転盤３５の外円周面には第二引掛り溝３７が環状に配列設置され、前記縄巻空間２２の左側には引掛り板空間３８が連通して設置され、前記引掛り板空間３８の中には右端が前記第二引掛り溝３７の中に挿入可能な引掛り板３９がスライドできるように設置され、前記引掛り板３９の左端と前記引掛り板空間３８の左壁との間には圧着バネ４０が固定的に連結されており、
前記縄巻軸２３によって前記ゴム製ひも２４を巻いてきつさ度合いを調節できる。
【００１６】
有益的には、前記制御装置１０３には前記伸縮空間１６のうち中心から離れた側の内壁の中に設置されかつ外に開いた制御空間４１が含まれ、前記制御空間４１の中には制御ブロック４２がスライドできるように設置され、前記切換ブロック２６が前記制御ブロック４２のうち外部に伸びている一端に固定的に連結され、前記制御ブロック４２の右端と前記制御空間４１の右壁との間には復帰バネ４３が固定的に連結され、前記制御ブロック４２の右端には引き線４４が固定的に連結され、前記引き線４４が前記引掛り板３９の左端に固定的に連結され、前記制御空間４１の左側にはスライド板空間４５が連通して設置され、前記スライド板空間４５の中には右端が前記制御ブロック４２に固定的に連結されたスライド板４６がスライドできるように設置され、前記スライド板空間４５の左側には前記引掛りブロック空間３２に連通した押しブロック空間４７が連通しており、前記スライド板４６の左端にはＬ型押しブロック４８が固定的に設置され、前記引掛りブロック３３の左端面の中には前記Ｌ型押しブロック４８と同じ水平面に位置した凹み溝４９が設置されており、
前記Ｌ型押しブロック４８の右端が前記凹み溝４９の中に滑り込んで前記引掛りブロック３３を連動させて前記第一引掛り溝３１から移り出させる。
【００１７】
初期状態の時、口輪１２が互いに近接しており、伸縮棒１９が最大程度で伸縮空間１６の中に伸びており、引掛りブロック３３が凹み溝４９の中に伸びており、引掛り板３９が第二引掛り溝３７の中に噛み込む。
【００１８】
ゴム製ひもを調節する時、切換ブロック２６を左に移動して制御ブロック４２を左に移動連動させ、ゴム製ひも２４を引き動かして長さを調節し、切換ブロック２６を解放して引掛り板３９を対応した第二引掛り溝３７の中に引掛け、犬が餌を食べるの時、切換ブロック２６を右に移動し、制御ブロック４２を通してスライド板４６とＬ型押しブロック４８とを右に移動連動させ、この時Ｌ型押しブロック４８が右に移動して凹み溝４９の中に入って引掛りブロック３３を連動させて第一引掛り溝３１から移り出させ、この時昇降板１７が弾力の作用によって互いに離れ、伸縮棒１９と挟み板１５とを移動連動させて上下両側へ開かせ、この時伸縮棒１９が梃子２７の右側を翻転連動させ、梃子２７の左端が斜めスライドブロック３０の斜面に沿って斜めスライドブロック３０を押し動かして左に移動させ、スライド棒２９を左に移動連動させて連結棒２１によって口輪１２を連動させて上下両側に開かせ、この時犬は餌を食べることができ、同時に空間に余裕をもたせて咀嚼に便利を与え、食べ終わった後手動で口輪１２を閉じて復帰させる。
【００１９】
本発明の有益効果は：本発明は構造が簡単で、操作が便利で、本装置は犬が餌を食べる時に一部を開かれ、空間に余裕をもたせ、咀嚼に便利を与え、同時にゴム製ひもを調節して着用をもっと便利にさせる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。